(57)【要約】【課題】操作性に優れた入力装置を提供する。【解決手段】入力装置（１）は、表示部（１０）を有し、表示画面に対する入力操作を検出するタッチパネル（２０）と、表示画面における、入力操作の対象となる画像が表示された操作対象領域を特定する領域特定部（３４）と、タッチパネル（２０）が検出した入力操作のうち、領域特定部（３４）により特定された操作対象領域以外の領域に対する入力操作を無効化する無効化部（３８）と、を備えている。【選択図】図１
2015222455.tif 000002
【特許請求の範囲】
【請求項１】
表示画面を有する入力装置であって、
上記表示画面に対する入力操作を検出する検出部と、
上記表示画面における、上記入力操作の対象となる画像が表示された操作対象領域を特定する領域特定手段と、
上記検出部が検出した入力操作のうち、上記領域特定手段により特定された操作対象領域以外の領域に対する入力操作を無効化する無効化手段と、を備えることを特徴とする入力装置。
【請求項２】
上記検出部は、静電容量方式のタッチパネルであり、
上記無効化手段は、上記操作対象領域以外の領域に対する入力により生ずる静電容量の変化を無効化することを特徴とする請求項１に記載の入力装置。
【請求項３】
上記無効化手段は、上記操作対象領域以外の領域に対する入力操作の検出機能を制限することを備えることを特徴とする請求項１に記載の入力装置。
【請求項４】
上記無効化手段は、上記操作対象領域以外の領域に対する入力操作が検出されると、当該入力操作を無効とするかどうかをユーザに確認させることを特徴とする請求項１に記載の入力装置。
【請求項５】
上記表示画面にはＸ軸、Ｙ軸が設定されており、
上記領域特定手段は、上記操作対象領域をＸＹ座標により特定し、
上記無効化手段は、ＸＹ座標により規定された上記操作対象領域以外の領域に対する入力操作を無効化することを特徴とする請求項１から４の何れか１項に記載の入力装置。
【請求項６】
表示画面を有する入力装置に用いられる入力無効化方法であって、
上記表示画面に対する入力操作を検出する検出ステップと、
上記表示画面における、上記入力操作の対象となる画像が表示された操作対象領域を特定する領域特定ステップと、
上記検出ステップにて検出された入力操作のうち、上記領域特定ステップにて特定された操作対象領域以外の領域に対する入力操作を無効化する無効化ステップと、を含むことを特徴とする入力無効化方法。
【請求項７】
請求項１〜５のいずれか１項に記載の入力装置を動作させる入力無効化プログラムであって、コンピュータを上記各手段として機能させるための入力無効化プログラム。
【請求項８】
請求項７に記載の入力無効化プログラムを記録したコンピュータ読み取り可能な記録媒体。
【発明の詳細な説明】
【技術分野】
【０００１】
本発明は、入力装置、入力無効化方法、入力無効化プログラム、及びコンピュータ読み取り可能な記録媒体に関する。
【背景技術】
【０００２】
表示装置上にタッチパネルを装備し、タッチパネル上を指やペンなどにより操作することでデータ入力するタッチ式入力装置が、ノート型ＰＣ、携帯端末、ＰＤＡ、ＡＴＭ、およびカーナビゲーション装置等の情報処理装置で採用されている。
【０００３】
タッチパネルでは、不用意にタッチパネルに触れてしまうことで誤操作してしまうおそれがある。そのような問題に対して、操作者の意図しない操作による誤作動を防ぐための技術が開示されている。
【０００４】
特許文献１の情報入力装置は、表示画面上に設けられたタッチパネルに指示体でタッチすることによって情報を入力可能な装置であって、入力無効領域設定手段と表示制御手段とを備えている。そして、入力無効領域設定手段はタッチパネルの一部に入力無効領域を設定し、表示制御手段は、設定された入力無効領域を避けるように、前記表示画面上に表示されているオブジェクトを再配置する。
【先行技術文献】
【特許文献】
【０００５】
【特許文献１】特開２０１２−０１４６４８号公報（２０１２年１月１９日公開）
【発明の概要】
【発明が解決しようとする課題】
【０００６】
しかしながら、上述のような従来技術には次のような問題がある。
【０００７】
特許文献１の情報入力装置は、タッチパネルディスプレイの一部に入力無効領域を設定し、操作したいウィンドウが入力無効領域内にある場合、そのウィンドウを移動させたり、リサイズすることにより、ウィンドウを入力無効領域外になるようにする必要がある。そのため、特許文献１の情報入力装置では、入力無効領域を決定すると、その位置にウィンドウを持ってこれなくなり、操作したい位置での作業ができなくなるという問題がある。
【０００８】
本発明は、上記の問題を解決するためになされたものであり、その目的は、操作性に優れた入力装置、入力無効化方法、入力無効化プログラム、及びコンピュータ読み取り可能な記録媒体を提供することにある。
【課題を解決するための手段】
【０００９】
上記の課題を解決するために、本発明の一態様に係る入力装置は、表示画面を有する入力装置であって、上記表示画面に対する入力操作を検出する検出部と、上記表示画面における、上記入力操作の対象となる画像が表示された操作対象領域を特定する領域特定手段と、上記検出部が検出した入力操作のうち、上記領域特定手段により特定された操作対象領域以外の領域に対する入力操作を無効化する無効化手段と、を備えることを特徴としている。
【００１０】
また、上記の課題を解決するために、本発明の一態様に係る入力無効化方法は、表示画面を有する入力装置に用いられる入力無効化方法であって、上記表示画面に対する入力操作を検出する検出ステップと、上記表示画面における、上記入力操作の対象となる画像が表示された操作対象領域を特定する領域特定ステップと、上記検出ステップにて検出された入力操作のうち、上記領域特定ステップにて特定された操作対象領域以外の領域に対する入力操作を無効化する無効化ステップと、を含むことを特徴としている。
【発明の効果】
【００１１】
本発明の一態様によれば、本発明の一態様に係る入力装置は、上記表示画面に対する入力操作を検出する検出部と、上記表示画面における、上記入力操作の対象となる画像が表示された操作対象領域を特定する領域特定手段と、上記検出部が検出した入力操作のうち、上記領域特定手段により特定された操作対象領域以外の領域に対する入力操作を無効化する無効化手段と、を備える。
【００１２】
本発明の一態様によれば、本発明の一態様に係る入力無効化方法は、上記表示画面に対する入力操作を検出する検出ステップと、上記表示画面における、上記入力操作の対象となる画像が表示された操作対象領域を特定する領域特定ステップと、上記検出ステップにて検出された入力操作のうち、上記領域特定ステップにて特定された操作対象領域以外の領域に対する入力操作を無効化する無効化ステップと、を含む。
【００１３】
それゆえ、操作性に優れた入力装置等を提供することができるという効果を奏する。
【図面の簡単な説明】
【００１４】
【図１】本発明の実施形態に係る入力装置のブロック図である。
【図２】本発明の実施形態に係る入力装置の概略図を示す。
【図３】ユーザによる入力操作の対象となる画像が表示された操作対象領域を説明するための図である。
【図４】本発明の実施形態に係る無効化部の機能を説明するための図である。
【図５】本発明の実施形態に係る入力装置による効果を説明するための図である。
【図６】入力装置における無効化処理方法を説明するためのフロー図である。
【発明を実施するための形態】
【００１５】
以下、図面を参照しつつ、本実施の形態に係る入力装置１について説明する。以下の説明では、同一の部品および構成要素には同一の符号を付している。
【００１６】
〔入力装置〕
図２は、本実施の形態に係る入力装置１の概略図を示す。図示するように、入力装置１は、少なくとも、表示部１０と、タッチパネル２０とを備える。
【００１７】
表示部１０は、例えばＬＣＤ（液晶ディスプレイ：Liquid Crystal Display）、ＰＤＰ（プラズマディスプレイ:Plasma Display Panel）、または有機ＥＬ（Organic LED）などの、薄型フラットパネルディスプレイ（Flat Panel Display）である。
【００１８】
タッチパネル２０は、ユーザによるタッチパネル操作を受け付けるユーザインターフェースであり、一例として静電容量方式の入力パネルが挙げられる。静電容量方式のタッチパネルでは、透明導電膜がコーティングされた入力パネルにおける、指の接触（または近接の像の検知）による静電容量の変化により入力位置を検出する。
【００１９】
また、タッチパネル２０は、銅配線などのメッシュ構造からなるタイプであってもよい。このとき、タッチパネル２０は、静電容量制御の感度を高められる低抵抗導電体で機械的強度に優れるメッシュパターン銀ペーストの印刷ライン、銅箔のエッチングライン、銅めっきラインなどによる多角形からなるメッシュパターン（構造）を表面電極とする。
【００２０】
このように、タッチパネル２０は、種々のタイプのタッチパネルを用いることができる。
【００２１】
ここで、静電容量方式である場合におけるタッチパネル２０について説明する。タッチパネル２０は、絶縁層のガラス２１と、電極層である、Ｘセンサ２２およびＹセンサ２３とを含む（以下、Ｘセンサ２２およびＹセンサ２３を区別しないときは、操作入力部２５と称する場合もある）。絶縁層のガラス２１と表示部１０との間に配設されるＸセンサ２２およびＹセンサ２３には、ＩＴＯなどの透明電極や微細な金属配線によって縦横（ＸＹ）２層からなる電極パターンがガラスやプラスチック基板上に配置される。そして、タッチパネル２０は、指やペンによって触れられると、その付近の静電容量の変化を縦横２つのＸセンサ２２およびＹセンサ２３によって検知することで触れられた位置を正確に判別することができる。また、タッチパネル２０は、縦横（ＸＹ）に走る多数の電極センサによって多点検出が可能である。
【００２２】
次に、入力装置１のさらなる詳細を図１により説明する。図１は、入力装置１のブロック図である。
【００２３】
図示するように、入力装置１は、表示部１０と、タッチパネル２０と、入力装置１の表示・入力機能を制御する制御部３０とを備える。さらに、制御部３０は、表示制御部３２と、タッチパネル制御部３６とを含む。
【００２４】
表示制御部３２は、主に表示部１０での画像（動画および静止画を含む）の表示を制御するものであり、少なくとも領域特定部３４を含む。
【００２５】
領域特定部３４は、表示部１０の表示画面における、ユーザによる入力操作の対象となる画像が表示された操作対象領域を特定する。具体的に、表示部１０には、ブラウザ、オフィス、メニュー、あるいはタスクバーなどの複数の作業ウィンドウが表示され、領域特定部３４は、そのような作業ウィンドウの表示される領域を座標により特定する。
【００２６】
図３は、ユーザによる入力操作の対象となる画像が表示された操作対象領域を説明するための図である。例えば、図３では、表示画面にＡＢＣＤの四角状の表示ウィンドウが表示され、ＡＢＣＤの座標はそれぞれ、Ａ（ｘ１、ｙ１）、Ｂ（ｘ２、ｙ１）、Ｃ（ｘ２、ｙ２）、Ｄ（ｘ１、ｙ２）と規定される。したがって、図３の場合、領域特定部３４は、上記座標によって規定されるＡＢＣＤを操作対象領域と特定する。換言すれば、領域特定部３４は、上記座標により規定されるＡＢＣＤ以外の領域を、操作対象領域以外の領域（以下、そのような領域を「非操作対象領域」と称する場合もある）と特定する。
【００２７】
そして、図１に示すように、領域特定部３４は、特定した操作対象領域および非操作対象領域を示す情報である領域特定情報をタッチパネル制御部３６（詳細には、無効化部３８）に出力する。
【００２８】
無効化部３８は、上述したように、領域特定部３４から領域特定情報を取得する。また、無効化部３８は、タッチパネル２０の操作入力部２５から入力信号を取得する。ここで、入力信号とは、ユーザがタッチパネルにタッチしたかどうかを示す信号、および、タッチされた場合のタッチ位置を示す信号を含む。
【００２９】
そして、無効化部３８は、タッチパネル２０が検出した入力操作のうち、領域特定部３４により特定された非操作対象領域に対する入力操作を無効化する。
【００３０】
より具体的に、領域特定部３４により作業ウィンドウの領域を示す座標が特定されると、無効化部３８は、作業ウィンドウが存在しない領域（非操作対象領域）での静電容量の変化をカットすることで、非操作対象領域におけるユーザのタッチを無効化する。その一方で、無効化部３８は、作業ウィンドウが存在する領域（操作対象領域）での静電容量の変化をカットすることなく、操作対象領域におけるユーザのタッチを有効にする。
【００３１】
この無効化部３８の機能を、さらに詳しく図４により説明する。図４は、無効化部３８の機能を説明するための図である。
【００３２】
図示するように、表示部１０には作業ウィンドウＷ１、Ｗ２、Ｗ３が表示されており、領域特定部３４は、ユーザによる入力操作の対象となる画像が表示された操作対象領域（作業ウィンドウＷ１、Ｗ２、Ｗ３）を座標により特定する。換言すると、領域特定部３４は、ユーザによる入力操作の対象となる画像が表示された操作対象領域以外の領域である非操作対象領域についても特定することができる。
【００３３】
この状態において、ユーザが操作対象領域（作業ウィンドウＷ１、Ｗ２、および／または、Ｗ３）に対応するタッチパネル上の領域Ｌ１、Ｌ２、および／または、Ｌ３にタッチする。すると、無効化部３８は、タッチパネル上の領域Ｌ１、Ｌ２、および／または、Ｌ３での静電容量の変化をカットすることなく、ユーザの入力操作をそのまま受け付ける。そして、その入力操作に対応する処理が実行され、表示制御部３２による制御を受けて、表示部１０に処理結果が表示される。
【００３４】
一方、無効化部３８は、非操作対象領域に対応するタッチパネル上の領域Ｌ４へのユーザ入力に対しては、領域Ｌ４での静電容量の変化をカットすることで、非操作対象領域に対するユーザのタッチ（入力操作）を無効化する。
【００３５】
次に、入力装置１による効果を図５により説明する。図５は、入力装置１による効果を説明するための図である。
【００３６】
図示するように、入力装置１を挟んで２人の人間が向かい合っている。このとき、入力装置１の上に意図せず手や肘、または、缶コーヒーが置かれる場合がある。従来の入力装置であれば、意図せず置かれた手や肘、缶コーヒーなどをタッチパネル上に置かれること自体が入力操作として認識され、その入力操作を受けて、ユーザの意図しない処理が入力装置により実行される場合がある。
【００３７】
これに対して、入力装置１では、無効化部３８が作業ウィンドウの存在する操作対象領域以外での入力操作を無効化するため、缶コーヒーなどの導電性物質が入力装置１の上に置かれたとしても、そのことが入力操作として受け付けられることはない。これにより、手や肘などが無意識にタッチパネルに触れたとしても、入力装置１は、誤動作することがなく、操作性に優れた入力装置を実現する。
【００３８】
〔無効化部３８の他の実施例について〕
上述したように、無効化部３８は、作業ウィンドウが存在しない領域（非操作対象領域）での静電容量の変化をカットすることで、非操作対象領域におけるユーザのタッチを無効化する。しかしながら、無効化部３８は、次のような構成で実現されてもよい。
【００３９】
具体的に、無効化部３８は、操作対象領域以外の領域（非操作対象領域）に対して入力操作が行われた場合、タッチパネル２０における非操作対象領域の検出機能を制限する。つまり、無効化部３８は、操作入力部２５を制御して、タッチパネル２０の非操作対象領域でのセンシングが行えなくなるようにする。
【００４０】
上記構成によれば、ユーザが操作対象領域にタッチすると、その入力操作に対応する入力処理が実行され、その処理結果が表示部１０に表示される。また、ユーザが非操作対象領域にタッチすると、その入力操作は無効化部３８による制御を受けて操作入力部ではセンシングされず、その入力操作に対応する入力処理は実行されない。これにより、手は肘などにより、意図せずにユーザがタッチパネルに触れたとしても、入力装置１は、誤動作することのない、操作性に優れた入力装置を実現することができる。
【００４１】
また、無効化部３８は、次のような構成で実現されてもよい。
【００４２】
具体的に、ユーザが非操作対象領域にタッチすると、無効化部３８は、表示制御部３２に対して、表示部１０に警告画面を出力するよう命令する。表示制御部３２は、この命令を受けて、「この入力操作は無効としてよいですか？  はい  ／  いいえ」といった警告画面を表示部１０に表示させる。ユーザは、この警告を受けて、非操作対象領域への入力を無効としてよいのであれば「はい」に該当する部分をタッチする。
【００４３】
上記構成によれば、ユーザが非操作対象領域にタッチすると、無効化部３８は、最初に警告画面を表示部１０に表示させ、そのうえでタッチの有効／無効をユーザに確認させる。つまり、ユーザが意図せず非操作対象領域にタッチした場合、無効化部３８は、その入力操作に対する処理を行わずに、入力操作に対する処理を一旦保留（制限）する。そして、無効化部３８は、ユーザによる確認を求めた後で、タッチが有効な場合には上記制限を外し、タッチが無効であるには上記制限を維持する。
【００４４】
上記構成により、無効化部３８は、意図せず非操作対象領域にユーザがタッチした場合、その入力に対応する処理を制限することができる。これにより、手や肘などにより、意図せずにユーザがタッチパネルに触れたとしても、入力装置１は、誤動作することのない、操作性に優れた入力装置を実現することができる。
【００４５】
〔無効化処理方法について〕
次に、無効化処理方法のフローを図６により説明する。図６は、入力装置１における無効化処理方法を説明するためのフロー図である。
【００４６】
Ｓ１０では、表示部１０に表示ウィンドウが表示される。表ウィンドウには、ユーザによる入力操作の対象となる画像が表示された操作対象領域が含まれる。
【００４７】
Ｓ２０では、領域特定部３４が、表示部１０の表示画面における、ユーザによる入力操作の対象となる画像が表示された操作対象領域を特定する。
【００４８】
Ｓ３０では、入力装置１に対してユーザによる入力操作が行われる。
【００４９】
Ｓ４０では、Ｓ３０でのユーザによる入力操作が、操作対象領域に対する入力であったかどうかが無効化部３８により判定される。
【００５０】
Ｓ５０は、Ｓ４０においてユーザによる入力操作が操作対象領域に対する入力であった場合に該当し、このとき入力操作が受け付けられる。
【００５１】
一方、Ｓ４０においてユーザによる入力操作が操作対象領域に対する入力でなかった場合、Ｓ６０に進む。Ｓ６０では、無効化部３８の機能によってＳ７０またはＳ８０に進む。
【００５２】
Ｓ７０は、無効化部３８が、非操作対象領域での静電容量の変化をカットすることで、非操作対象領域に対するユーザのタッチを無効化する場合に該当する。あるいは、Ｓ７０は、無効化部３８が、タッチパネル２０の非操作対象領域でのセンシングが行えなくなるようにする場合に該当する。
【００５３】
Ｓ８０では、無効化部３８は、ユーザが非操作対象領域にタッチすると、表示制御部３２に対して、表示部１０に警告画面を出力するよう命令する。この命令を受けて、「この入力操作は無効としてよいですか？  はい  ／  いいえ」といった警告画面が表示部１０に表示される。このとき、Ｙｅｓであれば、Ｓ５０に進み、入力操作が受け付けられる。一方、Ｎｏであれば、入力操作が無効化される。
【００５４】
このようにして、入力装置１における無効化処理が行われる。その無効化処理による効果は上述したとおりである。
【００５５】
〔まとめ〕
本発明の一態様に係る入力装置は、表示画面（表示部１０）を有し、上記表示画面に対する入力操作を検出する検出部（タッチパネル２０）と、上記表示画面における、上記入力操作の対象となる画像が表示された操作対象領域を特定する領域特定手段（領域特定部３４）と、上記検出部が検出した入力操作のうち、上記領域特定手段により特定された操作対象領域以外の領域に対する入力操作を無効化する無効化手段（無効化部３８）と、を備えている。
【００５６】
本発明の一態様に係る入力無効化方法は、表示画面を有する入力装置に用いられ、上記表示画面に対する入力操作を検出する検出ステップと、上記表示画面における、上記入力操作の対象となる画像が表示された操作対象領域を特定する領域特定ステップと、上記検出ステップにて検出された入力操作のうち、上記領域特定ステップにて特定された操作対象領域以外の領域に対する入力操作を無効化する無効化ステップと、を含む。
【００５７】
上記の構成によれば、本発明の一態様に係る入力装置では、無効化手段（無効化ステップ）が、検出部が検出した入力操作のうち、領域特定手段により特定された操作対象領域以外の領域に対する入力操作を無効化する。
【００５８】
したがって、操作対象領域以外の領域に対して入力操作が行われた場合、当該入力操作は無効化手段（無効化ステップ）によって無効化されるため、誤操作による入力操作を排除することができる。言い換えれば、本発明の一態様に係る入力装置では、操作対象領域に対する入力操作のみを有効にすることができるため、操作性を高めることができる。
【００５９】
本発明の一態様に係る入力装置では、上記検出部は、静電容量方式のタッチパネルであり、上記無効化手段は、上記操作対象領域以外の領域に対する入力により生ずる静電容量の変化を無効化する構成であってもよい。
【００６０】
上記の構成によれば、本発明の一態様に係る入力装置は、上記操作対象領域以外の領域に対する入力により生ずる静電容量の変化を上記無効化手段によって無効化することにより、上記操作対象領域以外の領域に対する入力操作を無効化する。
【００６１】
これにより、本発明の一態様に係る入力装置は、操作対象領域以外の領域に対する入力操作を無効化することができ、操作性を高めることができる。
【００６２】
本発明の一態様に係る入力装置では、上記無効化手段は、上記操作対象領域以外の領域に対する入力操作の検出機能を制限する構成であってもよい。
【００６３】
上記の構成によれば、本発明の一態様に係る入力装置は、上記操作対象領域以外の領域に対する入力操作の検出機能が上記無効化手段によって制限されることにより、上記操作対象領域以外の領域に対する入力操作を無効化する。
【００６４】
これにより、本発明の一態様に係る入力装置は、操作対象領域以外の領域に対する入力操作を無効化することができ、操作性を高めることができる。
【００６５】
本発明の一態様に係る入力装置では、上記無効化手段は、上記操作対象領域以外の領域に対する入力操作が検出されると、当該入力操作を無効とするかどうかをユーザに確認させる構成であってもよい。
【００６６】
上記の構成によれば、本発明の一態様に係る入力装置は、上記操作対象領域以外の領域に対する入力操作が検出されると、当該入力操作を無効とするかどうかが上記無効化手段によるユーザ確認が行われる。
【００６７】
つまり、ユーザが意図せず上記操作対象領域以外の領域に入力操作した場合に、無効化手段は、上記確認を介して上記入力操作の受け付けを一旦保留することで、入力操作に対応する処理を制限する。
【００６８】
したがって、本発明の一態様に係る入力装置は、手や肘などによって意図せずにユーザが検出部に触れたとしても、その入力に対する処理がいきなり実行される事態を防ぐことができる。
【００６９】
本発明の一態様に係る入力装置では、上記表示画面にはＸ軸、Ｙ軸が設定されており、上記領域特定手段は、上記操作対象領域をＸＹ座標により特定し、上記無効化手段は、ＸＹ座標により規定された上記操作対象領域以外の領域に対する入力操作を無効化する構成であってもよい。
【００７０】
上記の構成によれば、本発明の一態様に係る入力装置では、上記無効化手段は、ＸＹ座標により規定された上記操作対象領域以外の領域に対する入力操作を無効化する。
【００７１】
つまり、本発明の一態様に係る入力装置は、上記操作対象領域以外の領域がＸＹ座標により正確に規定することで、より正確に、上記操作対象領域以外の領域への意図しない入力を無効化することができる。
【００７２】
それゆえ、本発明の一態様に係る入力装置は、さらに操作性を高めることができる。
【００７３】
なお、入力装置は、コンピュータによって実現してもよく、この場合には、コンピュータを上記各手段（検出ステップ、領域特定ステップ、無効化ステップ）として動作させることにより上記入力装置をコンピュータにて実現させる入力無効化プログラム、およびそれを記録したコンピュータ読み取り可能な記録媒体も、本発明の範疇に入る。
〔補足〕
本実施形態に係る入力装置は、次のように表現することもできる。
【００７４】
本実施形態に係る入力装置は、タッチ操作で情報を入力できる静電容量方式のタッチパネルが備えられたディスプレイにおいて、前記ディスプレイに表示される少なくとも１つ以上のオブジェクトの位置座標（表示領域）を検出し、対応する前記タッチパネルの位置座標を特定する位置検出部を有し、前記ディスプレイに表示されたオブジェクトの表示領域に対応した前記タッチパネルの領域以外の領域では、入力による静電容量の変化を無効化する構成であってもよい。
【００７５】
また、本実施形態に係る入力装置は、タッチ操作で情報を入力できる静電容量方式のタッチパネルが備えられたディスプレイにおいて、前記ディスプレイに表示される少なくとも１つ以上のオブジェクトの位置座標（表示領域）を検出し、対応する前記タッチパネルの位置座標を特定する位置検出部を有し、前記ディスプレイに表示されたオブジェクトの表示領域に対応した前記タッチパネルの領域以外の領域では、タッチパネルのセンシングを行わない構成であってもよい。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７７】
〔ソフトウェアによる実現例〕
最後に、入力装置１の各ブロック、特に領域特定部３４および無効化部３８は、集積回路（ＩＣチップ）上に形成された論理回路によってハードウェア的に実現してもよいし、ＣＰＵ（Central Processing Unit）を用いてソフトウェア的に実現してもよい。
【００７８】
後者の場合、入力装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである入力装置１の制御プログラムのプログラムコード（実行形式プログラム、中間コードプログラム、ソースプログラム）をコンピュータで読み取り可能に記録した記録媒体を、上記入力装置１に供給し、そのコンピュータ（またはＣＰＵやＭＰＵ）が記録媒体に記録されているプログラムコードを読み出し実行することによっても、達成可能である。
【００７９】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００８０】
また、入力装置１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８１】
本発明は、操作性に優れた入力装置、入力無効化方法、入力無効化プログラム、及びコンピュータ読み取り可能な記録媒体に関する。
【符号の説明】
【００８２】
１    入力装置
１０  表示部
２０  タッチパネル
２１  ガラス
２２  Ｘセンサ
２３  Ｙセンサ
２５  操作入力部
３０  制御部
３２  表示制御部
３４  領域特定部（領域特定手段）
３６  タッチパネル制御部
３８  無効化部（無効化手段）
Ｌ１、Ｌ２、Ｌ３  操作対象領域
Ｌ４  非操作対象領域
【図１】
2015222455.tif 000003
【図２】
2015222455.tif 000004
【図３】
2015222455.tif 000005
【図４】
2015222455.tif 000006
【図６】
2015222455.tif 000007
【図５】
2015222455.tif 000008